(57)【要約】【課題】ベビーベッドをスムーズに軽い力で折り畳めるようにする。【解決手段】折畳式ベビーベッド９は、相互に接近可能な一対の長辺側壁１０，２０と、該接近に連動して中間部から内側にそれぞれ屈曲可能な一対の短辺側壁３０，３０と、一方の長辺側壁１０の下部に回動可能に連結され、該長辺側壁１０に沿って起立可能な床板４０と、該床板４０の下方で一対の長辺側壁１０，２０の下部どうしを連結するとともに中間部から上方に屈曲可能に構成され、該屈曲に連動させて一対の長辺側壁１０，２０を相互に接近させる連動部材５０とを含み構成されている。そして、連動部材５０には、手を掛ける取っ手５２が設けられている。また、他方の長辺側壁２０の上部は、下方に縮退可能に構成されている。また、床板４０は、起立した後下方に降下可能に構成されている。【選択図】図５
2009118973.tif 000002
【特許請求の範囲】
【請求項１】
相互に接近可能な一対の長辺側壁と、該接近に連動して中間部から内側に屈曲可能な一対の短辺側壁と、前記長辺側壁に沿って起立可能な床板と、前記床板の下方で前記一対の長辺側壁の下部どうしを連結するとともに中間部から上方に屈曲可能に構成され、該屈曲に連動させて前記一対の長辺側壁を相互に接近させる連動部材とを含み、前記連動部材に手を掛ける把持部が設けられ、
前記床板を起立させた後、前記把持部を引き、前記連動部材を上方に屈曲させることによって折り畳む折畳式ベビーベッド。
【請求項２】
前記一対の長辺側壁のうちの一方の下部に、前記床板が回動可能に連結され、他方の上部が、下方に縮退可能に構成された請求項１記載の折畳式ベビーベッド。
【請求項３】
前記床板が、起立した後下方に降下可能に構成された請求項１又は２記載の折畳式ベビーベッド。
【発明の詳細な説明】
【技術分野】
【０００１】
本発明は、折畳式のベビーベッドに関する。
【背景技術】
【０００２】
折畳式ベビーベッドの中には、図８〜１１に示す従来例１（特許文献１）の折畳式ベビーベッド９０のように、相互に接近可能な一対の長辺側壁９１，９２と、該接近に連動して中間部から内側に屈曲可能な一対の短辺側壁９３，９３と、長辺側壁９１に沿って起立可能な床板９４とからなるものがある。
【０００３】
この折畳式ベビーベッド９０は、図９に示すように、床板９４を起立させた後、図１０及び図１１（ａ）〜（ｃ）に示すように、両長辺側壁９１，９２の上端部に両手Ｈ，Ｈをそれぞれ掛け、該両手Ｈ，Ｈで一方の長辺側壁９１に他方の長辺側壁９２を、その上端部を引き寄せて接近させ、該接近に連動させて両長辺側壁９１，９２の相互間に両短辺側壁９３，９３を屈曲させて挟み込むことにより折り畳む。
【０００４】
また、その他にも、図１２，１３に示す従来例２（特許文献２）の折畳式ベビーベッド９６のように、床板９４の下方で長辺側壁９１，９２の下部どうしを、上方に屈曲可能な折畳部材９７で連結し、該折畳部材９７を床板９４の起立に連動して上方に屈曲するように構成したものもある。
【０００５】
この折畳式ベビーベッド９６は、図１３（ａ）〜（ｃ）に示すように、床板９４の取っ手９５に手を掛け、該床板９４を起立させるのに連動させて折畳部材９７を上方に屈曲させ、該屈曲に連動させて一方の長辺側壁９１に他方の長辺側壁９２を接近させ、該接近に連動させてその相互間に両短辺側壁９３，９３を屈曲させて挟み込むことにより折り畳む。よって、この折畳式ベビーベッド９６は、床板９４を起立させるだけで折り畳むことができる。
【特許文献１】特開平９−９８８５３号公報
【特許文献２】特開２００７−１０５１８７号公報
【発明の開示】
【発明が解決しようとする課題】
【０００６】
ところが、従来例１では、図１１（ａ）〜（ｃ）に示すように、一方の長辺側壁９１に他方の長辺側壁９２を、その上端部を引き寄せて接近させるため、該接近させる方向に力Ｐが真っ直ぐ加わり難くスムーズに引き寄せ難しい。
【０００７】
また、従来例２では、図１３（ａ）〜（ｃ）に示すように、他方の長辺側壁９２の下部を折畳部材９７を介して引き寄せるため、従来例１のように上端部を引き寄せる場合に比べて、該引き寄せる方向に力が真っ直ぐ加わり易いが、次に示す問題がある。すなわち、該従来例２では、床板９４を起立させる際に、該床板９４に、その自重に加え長辺側壁９２を引き寄せるための力も加わるため、該床板９４の操作が重たくなってしまう。
【０００８】
そこで、ベビーベッドをスムーズに軽い力で折り畳めるようにすることを目的とする。
【課題を解決するための手段】
【０００９】
上記目的を達成するため、本発明の折畳式ベビーベッドは、相互に接近可能な一対の長辺側壁と、該接近に連動して中間部から内側に屈曲可能な一対の短辺側壁と、前記長辺側壁に沿って起立可能な床板と、前記床板の下方で前記一対の長辺側壁の下部どうしを連結するとともに中間部から上方に屈曲可能に構成され、該屈曲に連動させて前記一対の長辺側壁を相互に接近させる連動部材とを含み、前記連動部材に手を掛ける把持部が設けられ、前記床板を起立させた後、前記把持部を引き、前記連動部材を上方に屈曲させることによって折り畳む。
【００１０】
前記把持部は、特に限定されないが、前記床板に取り付けられた取っ手である場合や、前記床板に貫設または凹設された把持穴である場合等が例として挙げられる。
【００１１】
前記折畳式ベビーベッドは、特に限定されないが、前記一対の長辺側壁のうちの一方の下部に、前記床板が回動可能に連結され、他方の上部が、下方に縮退可能に構成されていることが好ましい。床板及び連動部材（把持部）に手を掛け易くなるからである。
【００１２】
また、前記折畳式ベビーベッドは、特に限定されないが、前記床板が、起立した後下方に降下可能に構成されていることが好ましい。コンパクトに収納し易くなるからである。
【発明の効果】
【００１３】
本発明によれば、一対の長辺側壁の下部どうしを連結した連動部材の屈曲に連動させて該一対の長辺側壁を相互に接近させるため、該接近させるための力は、長辺側壁の下部に加わることとなり、よって、上端部を引き寄せる従来例１に比べて一対の長辺側壁をスムーズに接近させられる。また、本発明では、床板を起立させた後、連動部材を上方に屈曲させることによって折畳式ベビーベッドを折り畳むため、床板の起立に連動させて折り畳む従来例２に比べて、手順は増えるが、軽い力で折り畳むことができる。
【発明を実施するための最良の形態】
【００１４】
本発明の折畳式ベビーベッド９は、相互に接近可能な一対の長辺側壁１０，２０と、該接近に連動して中間部から内側にそれぞれ屈曲可能な一対の短辺側壁３０，３０と、一方の長辺側壁１０の下部に回動可能に連結され、該長辺側壁１０に沿って起立可能な床板４０と、該床板４０の下方で一対の長辺側壁１０，２０の下部どうしを連結するとともに中間部から上方に屈曲可能に構成され、該屈曲に連動させて一対の長辺側壁１０，２０を相互に接近させる連動部材５０とを含み構成されている。そして、連動部材５０には、手を掛ける取っ手５２が設けられている。また、他方の長辺側壁２０の上部は、下方に縮退可能に構成されている。また、床板４０は、起立した後下方に降下可能に構成されている。
【００１５】
この折畳式ベビーベッド９を折り畳む際には、まず、他方の長辺側壁２０の上部を下方に縮退させ、次に、床板４０を起立させてから下方に降下させる。その後、取っ手５２を引き連動部材５０を上方に屈曲させることに連動させて、一対の長辺側壁１０，２０を相互に接近させ、該接近に連動させて一対の短辺側壁３０，３０を内側に屈曲させることによって折り畳む。
【実施例】
【００１６】
本実施例の図１〜７に示す折畳式ベビーベッド９は、乳児が横になるマット等を敷くための折り畳む際には起立可能な床板４０と、該乳児がベッドから落ちるのを防止する囲いを折畳可能に構成する一対の長辺側壁１０，２０及び一対の短辺側壁３０，３０と、該囲いを自身の屈曲に連動させて折り畳む連動部材５０とを含み構成されている。
【００１７】
長辺側壁１０，２０は、上下左右に延びる相互に接近可能な前後一対の柵であって、折畳式ベビーベッド９を折り畳む際に動かない一方の長辺側壁１０と、該一方の長辺側壁１０にスライドして接近する他方の長辺側壁２０とからなる。
【００１８】
一方の長辺側壁１０は、その左右両端に位置する支柱１１，１１と、両支柱１１，１１の間に架けられた上下２本の横フレーム１３，１３と、両横フレーム１３，１３の間に架けられた複数本の縦桟１４とから構成されている。各支柱１１は、折畳式ベビーベッド９が折り畳まれた際に床板４０及び連動部材５０を収納するためのスペースを他方の長辺側壁２０との間に確保できるように、前後方向へ広がった板状になっており、下端部には、移動用のキャスタ１５が取り付けられている。また、該一方の長辺側壁１０の支柱１１の上部、及び他方の長辺側壁２０の後述する支柱２１の上部には、他方の長辺側壁２０を一方の長辺側壁１０に接近させた後、離間不能にロックするためのロック機構１６が設けられている。そのロック機構１６は、一方の長辺側壁１０の支柱１１の上部に設けられた係止部１７と、他方の長辺側壁２０の支柱２１の上部に設けられた被係止部１８とからなる。
【００１９】
他方の長辺側壁２０は、その上側部分を構成する上側側壁２０ａと、その下側部分を構成する下側側壁２０ｂとに分かれており、上側側壁２０ａが、下方に降下可能に構成されることによって該他方の長辺側壁２０の上部が下方に縮退可能に構成されている。下側側壁２０ｂは、該他方の長辺側壁２０の左右両端に位置する支柱２１，２１と、両支柱２１，２１の間に架けられた上下２本の横フレーム２３，２３と、両横フレーム２３，２３の間に架けられた複数本の縦桟２４とから構成されている。また、上側側壁２０ａは、支柱２１に、スライド機構２６を介して上下にスライド可能に取り付けられた縦フレーム２２，２２と、両縦フレーム２２，２２の間に架けられた上下２本の横フレーム２３，２３と、両横フレーム２３，２３の間に架けられた複数本の縦桟２４とから構成されている。そして、各支柱２１の下端には、移動用のキャスタ２５が取り付けられている。スライド機構２６は、支柱２１の内側に設けられた上下に延びるスリット溝２７に、上側側壁２０ａに取り付けられたスライド部材２８がスライド可能に係合することによって形成されており、該上側側壁２０ａには、該上側側壁２０ａを長辺側壁２０の上部に固定するためのストッパ２９が設けられている。
【００２０】
短辺側壁３０，３０は、上下前後に延びる中間部から内側に屈曲可能な左右一対の柵であって、該中間部で２つに分けられその両側が回動可能に連結され、且つ後端及び前端が両長辺側壁１０，２０の支柱１１，２１にそれぞれ回動可能に連結されている。詳しくは、各短辺側壁３０は、前後両端と中間部の前後両側とにそれぞれ配された計４本の縦フレーム３２，３２，３２，３２と、中間部よりも後側に位置する２本の縦フレーム３２，３２どうしと、中間部よりも前側に位置する２本の縦フレーム３２，３２どうしとを、上下でそれぞれ繋いだ２対の横フレーム３３，３３，３３，３３と、各一対の横フレーム３３，３３間にそれぞれ架けられた複数本の縦桟３４とから構成されている。そして、後端の縦フレーム３２と一方の長辺側壁１０の支柱１１、前端の縦フレーム３２と他方の長辺側壁２０の支柱２１、及び中間部の前後両側に配された２本の縦フレーム３２，３２どうしは、蝶番３５によって回動可能に連結されている。
【００２１】
床板４０は、前後左右に延びる長方形の平面形状をしており、一方の長辺側壁１０の下部に床板軸支機構４３を介して起立及び昇降可能に連結されるとともに、床板４０の下面に凹設された複数の受具当接凹部４６に、短辺側壁３０に突設された床板受具４７が当接することによって支持されている。この床板４０の下面には、強度を上げるための床枠４１が取り付けられ、先端の上面には、該床板４０を動かす際に手を掛ける取っ手４２が取り付けられている。床板軸支機構４３は、一方の長辺側壁１０の支柱１１，１１にそれぞれ設けられた支持軸４４，４４に、床板４０の後端部の左右両側面に設けられた前後に延びるスリット溝４５，４５がスライド可能に支持されることによって形成されている。
【００２２】
連動部材５０は、自身の屈曲に連動させて、両長辺側壁１０，２０を相互に引き寄せて接近させ、一対の短辺側壁３０，３０を内側に屈曲させる。この連動部材５０は、前端が他方の長辺側壁２０に軸支部材５３，５３を介して回動可能に連結され起立可能な連動板５１と、前端が連動板５１の前後方向中間部の左右の各側面に回動可能に連結され、後端が一方の長辺側壁１０に軸支部材５８，５８を介して回動可能に連結された左右一対の連結棒５６，５６とからなり、連動板５１の後端には、該連動板５１を起立させる際に手を掛ける取っ手５２が取り付けられている。
【００２３】
以上に示した折畳式ベビーベッド９を折り畳む際の様子を以下に説明する。
［１］まず、図２に示すように、ストッパ２９を解除し、上側側壁２０ａをスリット溝２７に沿って降下させることによって、他方の長辺側壁２０の上部を下方に縮退させる。
［２］次に、図３に示すように、床板４０の取っ手４２を引っ張ることによって、該床板４０を起立させた後、図４に示すように、該床板４０をその後端部に設けられたスリット溝４５に沿って下方へ降下させる。
［３］次に、図５及び図７（ａ）〜（ｃ）に示すように、連動部材５０の取っ手５２を手Ｈで引くことによって連動板５１を起立させて連動部材５０を上方に屈曲させることに連動させて、他方の長辺側壁２０を一方の長辺側壁１０に接近させ、該接近に連動させて一対の短辺側壁３０，３０を内側に屈曲させる。
［４］そして最後に、図６に示すように、係止部１７に被係止部１８を係止することによって、ロック機構１６で一方の長辺側壁１０に他方の長辺側壁２０を離間不能にロックする。
【００２４】
そして、該折り畳んだ折畳式ベビーベッド９を広げる際は、上記とは逆の手順で、該折畳式ベビーベッド９を操作する。すなわち、まず、ロック機構１６によるロックを解除してから、上方に屈曲している連動部材５０を前後に広げることに連動させて、他方の長辺側壁２０を一方の長辺側壁１０から離間させ、該離間に連動させて、内側に屈曲している短辺側壁３０，３０を前後に広げる。次に、床板４０を上方に上昇させてから倒伏させ、最後に、下方に縮退している他方の長辺側壁２０の上部を上方に伸ばし、ストッパ２９で固定する。
【００２５】
本実施例によれば、一対の長辺側壁１０，２０の下部どうしを連結した連動部材５０を屈曲させるのに連動させて一方の長辺側壁１０に他方の長辺側壁２０を接近させ、また、該屈曲させた連動部材５０を延ばすのに連動させて一方の長辺側壁１０から他方の長辺側壁２０を離間させるため、該接近及び該離間させるための力は、他方の長辺側壁２０の下部に加わることとなり、よって、上端部に力を加える従来例１に比べて、他方の長辺側壁２０をスムーズに動かすことができる。
【００２６】
また、本実施例では、床板４０を起立させた後、連動部材５０を上方に屈曲させることによって折畳式ベビーベッド９を折り畳むため、床板を起立させるのに連動させて折り畳む従来例２に比べて、手順は増えるが、軽い力で折り畳むことができる。
【００２７】
また、本実施例によれば、他方の長辺側壁２０の上部が下方に縮退可能なため、床板４０の取っ手４２及び連動部材５０の取っ手５２に手を掛け易く、作業がし易い。また、床板４０は、下方に降下可能なため、折畳時に上方に無駄に大きくスペースをとることがない。
【００２８】
なお、本発明は前記実施例に限定されるものではなく、発明の趣旨から逸脱しない範囲で適宜変更して具体化することもできる。
【図面の簡単な説明】
【００２９】
【図１】本発明の実施例の折畳式ベビーベッドの使用状態を示す斜視図である。
【図２】同実施例の折畳式ベビーベッドの前側の長辺側壁の上部を下方に縮退させた際の様子を示す斜視図である。
【図３】同実施例の折畳式ベビーベッドの床板を起立させた際の様子を示す斜視図である。
【図４】同実施例の折畳式ベビーベッドの床板を降下させた際の様子を示す斜視図である。
【図５】同実施例の折畳式ベビーベッドの連動部材を上方に屈曲させる際の中間状態の様子を示す斜視図である。
【図６】同実施例の折畳式ベビーベッドを折り畳んだ際の様子を示す斜視図である。
【図７】同実施例の折畳式ベビーベッドの連動部材を上方に屈曲させていく際の様子を順に示す側面断面図である。
【図８】従来例１の折畳式ベビーベッドの使用状態を示す斜視図である。
【図９】同従来例１の折畳式ベビーベッドの床板を起立させた際の様子を示す斜視図である。
【図１０】同従来例１の折畳式ベビーベッドを折り畳んだ際の様子を示す斜視図である。
【図１１】同従来例１の折畳式ベビーベッドの一方の長辺側壁に他方の長辺側壁を接近させていく際の様子を順に示す側面断面図である。
【図１２】従来例２の折畳式ベビーベッドの床板を起立させる際の中間状態の様子を示す斜視図である。
【図１３】同従来例２の折畳式ベビーベッドの床板を起立させていく際の様子を順に示す側面断面図である。
【符号の説明】
【００３０】
９    折畳式ベビーベッド
１０    一方の長辺側壁
２０    他方の長辺側壁
３０    短辺側壁
４０    床板
５０    連動部材
５２    取っ手（把持部）
【図１】
2009118973.tif 000003
【図２】
2009118973.tif 000004
【図３】
2009118973.tif 000005
【図４】
2009118973.tif 000006
【図５】
2009118973.tif 000007
【図６】
2009118973.tif 000008
【図７】
2009118973.tif 000009
【図８】
2009118973.tif 000010
【図９】
2009118973.tif 000011
【図１０】
2009118973.tif 000012
【図１１】
2009118973.tif 000013
【図１２】
2009118973.tif 000014
【図１３】
2009118973.tif 000015